Podtech/llm-jp-corpus-v4-ja_patent huggingface dataset:
(57)【要約】      （修正有）【課題】可視性を高めた上、薄さを最小限に抑え、遊技者に没入感を与える遊技機用スピーカーを提供する。【解決手段】遊技機用スピーカー１であって、天側板本体２とこの本体に取り付けられて加振させ音を出す少なくとも一つ以上の加振器３と、加振器と遊技機本体５の音声再生制御基板との間で音声情報と電源供給を受けるための加振器スピーカー用配線付コネクタ６を備える。天側板本体は遊技者の少なくとも上左右方向が遊技者側に突出し、ステレオで音声を再生させる。【選択図】図１
0003231432.tif 000002
【実用新案登録請求の範囲】
【請求項１】
遊技機用スピーカーであって、
天側板本体と
この本体に取り付けられて加振させ音を出す少なくとも一つ以上の加振器と、
前記加振器と遊技機本体との少なくとも音声情報と電源供給を受けるための配線材料
を備えることを特徴とする遊技機用スピーカー。
【請求項２】
前記天側板本体は遊技者の少なくとも上左右方向が遊技者側に突出し、ステレオで音声を再生させることを特徴とする請求項１に記載の遊技機用スピーカー。
【請求項３】
前記天側板本体は遊技者の挙動を目視確認できるよう透明な材料で構成されることを特徴とする請求項１に記載の遊技機用スピーカー。
【考案の詳細な説明】
【技術分野】
【０００１】
本考案は、遊技機に設置される加振器スピーカーに関するものである。
【背景技術】
【０００２】
ぱちんこ機、パチスロ機など遊技機は枠や筐体にスピーカーボックスを埋め込むことにより音声を再現していた。
また、専用の枠、筐体において遊技者の頭上や側面方向から音声を出すタイプも存在したが、頭上や側面に迫り出したまま常設させる物は無かった。それは、セキュリティー上見通しが利く構造でないといけないという側面があったためである。
【先行技術文献】
【特許文献】
【０００３】
【特許文献１】特開２０１９−００５３０３号公報
【考案の概要】
【考案が解決しようとする課題】
【０００４】
従来の枠、筐体に埋め込まれたスピーカーの場合、スピーカーボックスの面積、奥行きを確保する必要があった。
従来の上部や側面に設置されるタイプのスピーカーの場合、常時固定で据え付けることは防犯上好ましくない為、前側面に迫り出す時間の制限があったり、常時設置は難しいなどの問題があった。
前述の欠点を解決しようとしたものである。
【課題を解決するための手段】
【０００５】
本考案は遊技者から見て上左右に従来のボックス型のコーン紙を振動させるスピーカーではなく、透明な天側板部分に振動を与える「加振器」を採用し、可視性を高めた上、薄さを最小限に抑え、遊技者に没入感を与える構造になっている。
【考案の効果】
【０００６】
上述の様に、遊技機用加振器スピーカーシステムは透明な天側板が遊技者の頭上、側面に囲うように置かれ、その面には加振器が装着されており、天板と側板に振動を与え、臨場感のある音声を再現するスピーカーシステムを実現させている。  
埋込型スピーカーに比べて、枠、筐体にスペースを確保する必要がなく、着脱が容易なため再利用がしやすいという経済的に安く同等以上の効果を得られるものになっている。  
【図面の簡単な説明】
【０００７】
【図１】遊技機用加振器スピーカーシステムの実施例を示す斜視図である。
【図２】遊技機用加振器スピーカーシステムの実施例を示す正面図である。
【図３】加振器スピーカーと加振器スピーカー留め具の平面図、側面図である。
【考案を実施するための形態】
【０００８】
本器は遊技機の音声再生制御基板と加振器スピーカー用配線付きコネクタ６で接続されている。ぱちんこ機用枠、パチスロ機用筐体の幅に合うように天板と側板が一体となって透明な素材で出来上がっており、遊技機から簡単に着脱できる構造になっている。また臨場感を上げるために上、左右の三面に加えて遊技台のガラス面部分を網羅した正面の四面タイプの物であってもよい。正面は液晶のブルーライトをカットする加工がなされたものであってもよい。遊技機の音声再生制御基板にて再生された音楽信号は本器の加振器スピーカーに伝達され、クリアで迫力のある音声を再現させることが可能になる。
【実施例】
【０００９】
以下、添付図面に従って実施例を説明する。
天側板本体２は耐久性のプラスチック等透過性のある物で、加振器が与える振動を吸収し、バランスよくクリアな音の再現に適したものである。
加振器スピーカー３は天板、側板に加振器スピーカー留め具４で固定され、防水性や気密性が求められる場所にも設置して音を鳴らせる、低背タイプの物である。ＬＥＤを装着し、デザインや光の演出を施す導光板の機能を有してもよい。加振器スピーカー用配線付きコネクタは遊技機の音声再生制御基板に接続され、電源と音楽信号の供給を受ける。
加振器スピーカー留め具４は天側板本体２に固定され、加振器スピーカー３固定の為に使用される。加振器スピーカーの故障、交換が容易にできるためワンタッチで着脱でき、また、天側板本体とのがたつき調整ができるよう、天側板本体への圧力調整ができる機能を設けておくこともできる。
【産業上の利用可能性】
【００１０】
遊技機利用が主目的である。
【符号の説明】
【００１１】
１：遊技機用加振器スピーカーシステム
２：天側板本体
３：加振器スピーカー
４：加振器スピーカー留め具
５：遊技機
６：加振器スピーカー用配線付きコネクタ
【図１】
0003231432.tif 000003
【図２】
0003231432.tif 000004
【図３】
0003231432.tif 000005
(57)【要約】【課題】本考案はパウチ容器の開封を容易なものとし、且つ、本考案の洗浄、乾燥も容易なパウチ容器オープナーを提供する。【解決手段】本考案は本体の作用面４に、刃６を備えたＶ字状部分５を配置し、持ち手部分２と作用面４に角度をつけ、持ち手部分２内側にすきま３を作ったことにより、パウチ容器の開封を容易なものとし、且つ、刃６は鋭利でなくとも良く、露出しているため、洗浄、乾燥も安全、容易なものとなる。【選択図】図１
0003231033.tif 000002
【実用新案登録請求の範囲】
【請求項１】
単一の素材で構成された本体の作用面に、刃を備えたＶ字状部分を配置し、持ち手部分と作用面に角度をつけ、持ち手部分内側にすきまを設けたことを特徴とするパウチ容器オープナー。
【考案の詳細な説明】
【技術分野】
【０００１】  本考案は，パウチ容器の開封器に関するものである。
【技術背景】
【０００２】  食品，洗剤等のパウチ容器入りのものを開封する際、パウチ容器側にＵ字型、Ｖ字型、−字型の切れ込みが入れてあるものであっても、確実に開封するためには、ハサミやオープナーを使用していた。
【先行技術文献】
【特許文献】
【０００３】
【特許文献１】特開平０９−２５３３４８
【非特許文献】
【００００４】
【非特許文献１】「ＲＥＤ  ＢＯＯＫ  ＶＯＬ１６  春号  厨房機器・キッチン店舗用品編」，株式会社  ＭｏｎｏｔａＲＯ，２０１６年，ｐ．１０３
【考案の概要】
【考案が解決しようとする課題】
【０００５】  パウチ容器側に入れてある切れ込みは、必ずしも意図した状態に、かつ、スムーズに開封できるものではなく、ハサミやオープナーを使用して開封することも多い。しかし、ハサミでは、開封作業時にハサミを作動させるために手指を細かく動かし、また、パウチ容器の大きさによっては何度も持ち変えなければいけないなど不便である。オープナーも組み込まれた刃の位置が固定されていることから、パウチ容器の形状や、切り始めた角度によってはうまく開封できず、開封する位置も調節できないことがある。
また、ハサミ、オープナーともに、数点の部品から成り立っていることから、その接合部等に汚れがつきやすく、洗浄後も乾燥させにくい。また、鋭利な刃の部分があることから、洗浄を徹底しようとすると手指を切るなどの危険性もある。
【問題を解決するための手段】
【０００６】  本考案は、単一の素材で構成された本体の作用面に、刃を備えたＶ字状部分を配置し、持ち手部分と作用面に角度をつけ、持ち手部分内側にすきまを作ることで解決を図った。
【考案の効果】
【０００７】  上述のように，本考案のパウチ容器オープナーは，作用面に刃を備えたＶ字状部分を、持ち手部分内側にすきまを設けたため、パウチ容器の開封したい位置が調節できるとともに、刃をパウチ容器に密着させることができ、また、持ち手部分と作用面に角度を設けたことにより、刃が鋭利ではなくとも少ない力で、且つ、手指を細かく動かすことなくスムーズに開封することができるほか、単一素材で構成されることから構造を単純にすることができるとともに、刃も鋭利である必要がないため、洗浄、乾燥も容易に行うことができる。
【図面の簡単な説明】
【０００８】
【図１】  本考案のパウチ容器オープナーの斜視図である。
【図２】  本考案のパウチ容器オープナーの側面図である。
【図３】  本考案の実施例を示す図である。
【考案を実施するための形態】
【０００９】  図１、図２に示すように、本体作用面４に、刃６を備えたＶ字状部分５を配し、持ち手部分２と本体作用面４に角度をつけ、持ち手部分２の間にすきま３を配し、パウチ容器オープナーとする。
【実施例】
【００１０】  以下、添付図面に従って一実施例を説明する。１は金属または硬質プラスチック等適宜素材にて形成された本体、２は持ち手部分、３はすきま、４は作用面、５はＶ字状部分、６は刃である。Ｖ字状部分５をパウチ容器の切れ込み部分、または切りたい部分に当て、例えば、パウチ容器の左側上部に当てれば、そのまま右側に向かって本体１を動かすことによりパウチ容器が開封される。また、すきま３があることにより、パウチ容器の切りたい部分を調整することが可能となっている。【００１１】  図１に示すように、刃６が露出しているため、容易、且つ、安全に洗浄、乾燥ができる。【００１２】  図２に示すように、持ち手部分２と作用面４の間には角度がとられていることから、Ｖ字状部分５をパウチ容器に当てた後は、少ない力でスムーズに本体１を動かし、パウチ容器を開封することができる。
【符合の説明】
【００１３】１  本体
２  持ち手部分
３  すきま
４  作用面
５  Ｖ字状部分
６  刃
【図１】
0003231033.tif 000003
【図２】
0003231033.tif 000004
【図３】
0003231033.tif 000005
(57)【要約】      （修正有）【課題】狭いスペースで容易で素早い取り出し、保管を可能とする多段眼鏡置き台を提供する。【解決手段】折りたたまれた眼鏡１のつる２を収納する溝および眼鏡１のブレードあるいはパッド３の一部を保持して支える前面形状を有し、且つ収納溝の後方位置に上下方向に垂直な穴を有する眼鏡置き台５であり、眼鏡置き台５を複数個連結軸あるいは連結棒を穴に差し込み保持することにより多段眼鏡置きが構成される。【選択図】図１
0003231100.tif 000002
【実用新案登録請求の範囲】
【請求項１】
折りたたまれた眼鏡のつるを収納する溝および眼鏡のブレードあるいはパッドの一部を保持して支える前面形状を有し、且つ収納溝の後方位置に上下方向に垂直な穴を有する眼鏡置き台を複数個備える多段眼鏡置きであって、前記多段眼鏡置きの穴に連結軸あるいは連結棒が差し込まれて多段となるものである。
【請求項２】
前部部分と上下に開けられた穴を持つ後部部分からなり、前記前部分と前記後部部分は分離できるものである、請求項１に記載の多段眼鏡置き台である。
【考案の詳細な説明】
【技術分野】
【０００１】
本発明は複数の眼鏡を限られたスペースで効率よく収納し  且つ  容易に取り出し、保管ができる多段眼鏡置きに関するものである。
【背景技術】
【０００２】
従来の眼鏡の保管は個々の眼鏡ケースに収納されたり、或いは眼鏡店では固定式棚に陳列されており、必要保管眼鏡の数量にかかわらず保管可能眼鏡数は一定であり、収納には広いスペースが必要であった。
【０００３】
このため狭いデスクでの作業において近視、遠視、拡大などのいろいろな用途に応じた眼鏡の選択をするには、固定式の大きな眼鏡置き台や個々の眼鏡ケースより出し入れするなど非効率であった。
【先行技術文献】
【特許文献】
【０００４】
【特許文献１】特開2007−264209号公報
【非特許文献】
【０００５】
特になし
【考案の概要】
【考案が解決しようとする課題】
【０００６】
解決しようとする問題点は、限られたスペースに複数の眼鏡を保管し、しかも素早い眼鏡の取り出し、保管が可能となる多段眼鏡置きを得るにある。
【課題を解決するための手段】
【０００７】
本考案は、折りたたまれた眼鏡のつるを収納する溝と、眼鏡のブレードあるいはパッドの一部を保持し支える前面形状を有し、 且つ 溝後方部に本体を上下に貫通あるいは上下２個の穴を有する眼鏡置き台複数個を連結軸で積み重ねることにより限られたスペースで効率よく収納、保管する。
【考案の効果】
【０００８】
本考案は左右のつるを折りたたんだままの姿の眼鏡を必要な数だけ多段に積み重ねられた眼鏡置き台に収納し、作業に応じて頻繁に使用する眼鏡だけを前面向きに回転配置するなどして狭いスペースで容易で素早い取り出し、保管が可能となる。
【図面の簡単な説明】
【０００９】
【図１】図１は眼鏡置き台を多段に積み重ねた説明図である。（実施例１）
【図２】図２は眼鏡置き台の概略寸法図と眼鏡置き台の連結方法の例である。
【図３】図３は眼鏡置き台の前部分と後部分が分離可能な眼鏡置きの実施例である。（実施例２）
【考案を実施するための形態】
【００１０】
折りたたまれた眼鏡のつるを収納する溝と、眼鏡のブレードあるいはパッドの一部を保持し支える前面形状を有し、 且つ 溝後方部に本体を上下に貫通あるいは上下２個の穴を有する眼鏡置き台  および  複数個の眼鏡置き台を連結するための固定軸を有する台座あるいは連結棒により多段眼鏡置きを構成している。
【実施例１】
【００１１】
図１は本考案の眼鏡多段置き台に眼鏡を収納したときの概要を示す図である。
【００１２】
図２に概略の眼鏡置き台の形状、寸法を示す。眼鏡置き台の高さＨは約４０~５０ｍｍ、幅Ｌ２は３０~５０ｍｍ、後部長さは３０~４０ｍｍ、溝幅Ｌ４は約１０から１５ｍｍ、前面部の頭頂の幅は５ｍｍ以下が良い。後部の溝深さｈ１は約２０ｍｍ、前部の溝底からの高さｈ２は約２０~１５ｍｍで、ｈ１に対してｈ２を５ｍｍ程度短くすることにより、眼鏡の収納が容易となる。後部には垂直方向に開けられた穴を有し、この穴に連結棒あるいは連結軸を差し込み眼鏡置きユニットの多段積み重ねを可能としている。眼鏡置き台はこの連結軸に沿って上下にスライドが可能で  連結軸の周りを自由に回転可能である。これにより自由な角度に回転した位置で設置でき、また昇降させて眼鏡を容易に収納することができる。
【００１３】
図２の中に連結棒および連結軸による接続例の概念図を示す。
【実施例２】
【００１４】
図３に眼鏡のブレードあるいはパッドの一部を保持し支える前面形状を有した前部分と上下に開けられた穴を持つ後部分とが分離でき、かつ前部部分の取り換え交換が可能な多段式眼鏡置きを示す。
【００１５】
眼鏡のブリッジあるいはパッドの一部を保持し支える前面形状を様々な動物や植物、その他形状を選ぶことにより自由に組み替え可能なインテリアとなる。また各眼鏡にあった溝深さ、幅形状のものを選択して交換できる利点もある。前部部分と後部部分の接続は磁石、はめ込み、引掛け治具或いは接着などにより行う。
【産業上の利用可能性】
【００１６】
本発明は眼鏡製造、販売などで利用される。
【符号の説明】
【００１７】
１  眼鏡
２  つる
３  パッド
４  ブリッジ
５  眼鏡置き台ユニット
６  連結用  軸
７  連結軸固定台
8ａ  連結棒１
8ｂ  連結棒２
9ａ  分離型眼鏡置き台前部
9ｂ  分離型眼鏡置き台後部
Ｗ    眼鏡置き台幅
Ｌ１  眼鏡置き台  後部長さ
Ｌ２  眼鏡置き台  溝部幅
Ｌ３  眼鏡置き台  前部頭頂部幅
Ｈ    眼鏡置き台高さ
Ｈ１  眼鏡置き台後部分の溝底からの高さ
Ｈ２  眼鏡置き台前部頭頂部の溝底からの高さ
ａ    眼鏡置き台に上下方向に開けられた穴    
【図１】
0003231100.tif 000003
【図２】
0003231100.tif 000004
【図３】
0003231100.tif 000005
【手続補正書】
【提出日】令和3年1月7日(2021.1.7)
【手続補正１】
【補正対象書類名】実用新案登録請求の範囲
【補正対象項目名】全文
【補正方法】変更
【補正の内容】
【実用新案登録請求の範囲】
【請求項１】
折りたたまれた眼鏡のつるを収納する溝および眼鏡のブレードあるいはパッドの一部を保持して支える前面形状を有し、且つ収納溝の後方位置に上下方向に垂直な穴を有する眼鏡置き台を複数個備える多段眼鏡置きであって、前記多段眼鏡置きの穴に連結軸あるいは連結棒が差し込まれて多段となる多段眼鏡置き台。
【請求項２】
前記眼鏡置き台は前部部分と上下に開けられた穴を持つ後部部分からなり、前記前部分と前記後部部分は分離できるものである、請求項１に記載の多段眼鏡置き台。
(57)【要約】      （修正有）【課題】煙突の熱をより効率的に使い、また複雑な構造を持たず点検や修理がしやすく、スペースを最小限に抑えることができる煙突熱交換機を提供する。【解決手段】薪ストーブなどの煙突などに使われるステンレス製の煙突５に搭載される煙突熱交換機であって、内部にフレキシブル管１（直径１６ｍｍ  長さ１０ｍ）を２０ｍｍ間隔に同心円状にめぐらした構造を有する。外側にはステンレス製の保温カバー２（直径１５０ｍｍ  長さ１０００ｍｍ）を有する。熱交換を目的として作成されておりフレキシブル管に水を流すことで温水を作る機能を持つ。【選択図】図１
0003231078.tif 000002
【実用新案登録請求の範囲】
【請求項１】
薪ストーブなどの煙突などに使われるステンレス製の煙突に搭載され、内部にフレキシブル管（直径１６ｍｍ  長さ１０ｍ）の２０ｍｍ間隔に同心円状にめぐらした［１］構造を有する。  外側にはステンレス製の保温カバー（直径１５０ｍｍ  長さ１０００ｍｍ）［２］を有する。また熱交換を目的として作成されておりフレキシブル管に水を流すことで温水を作る機能を持つ特徴を有する煙突熱交換機。
【考案の詳細な説明】
【技術分野】
【０００１】  本考案は、薪ストーブの煙突から発生する熱から温水を作る熱交換機に関するものである。
【背景技術】  将来的な石油などの化石資源の枯渇が問題視されている中で近年では化石燃料などを必要とせず熱を発生させることが可能な薪ストーブなどに注目が高まっている。また発生した熱を効率的に使うことも必要とされている。
【先行技術文献】
【特許文献】
【０００３】
【特許文献１】
【特許文献２】
【非特許文献】
【０００４】
【非特許文献１】
【非特許文献２】
【考案の概要】
【考案が解決しようとする課題】    従来技術にかかる薪ストーブなどに付ける熱交換機は煙突でなく本体に付けるものでありスペースを必要し、また本体のほぼ全体を覆ってしまうことから本来、ヤカン、フライパンなどを使用可能なスペースを失ってしまうといった欠点があった。
【課題を解決するための手段】    本考案は上記課題を解決するためになされたものであり、本考案はステンレス製の煙突であれば付けることができスペースをとらない。さらに本体に付ける必要がないため本体の熱はより効率的に使うことが可能になる。
【考案の効果】    本考案によって効率的に熱エネルギーを活用でき、また効率的に資源を使うことにもつながる。
【図面の簡単な説明】
【図１】本考案の内部を書いた断面図である。
【図２】本考案の正面を書いた側面図である。
【図３】本考案の上側を書いた上側の図である。
【考案を実施するための形態】
薪ストーブなどのステンレス製の煙突を持つものに燃料を加えて熱を発生させ、フレキシブル管に水を流し煙突に発生した熱を交換して温水を作る。
【実施例】発生した温水で料理や風呂を沸かしたりする事が可能である。
【産業上の利用可能性】構造が単純なため修理、点検が特別な知識を有する者でなくても可能である故維持に必要なコストが少ない。
【符号の説明】［１］内部のフレキシブル管熱交換機
［２］保温カバー
［３］下の連結部
［４］上の連結部
［５］内部のステンレス製の煙突
【図１】
0003231078.tif 000003
【図２】
0003231078.tif 000004
【図３】
0003231078.tif 000005
(57)【要約】      （修正有）【課題】タオル生地の吸水性を確保しつつ、折り畳んだ際の嵩張り感をなくし、収納性に優れたタオルハンカチを提供する。【解決手段】タオルハンカチ１は、矩形状のタオル生地２からなり、長辺２ａが短辺２ｂの２倍もしくはそれ以上の長さを有しており、一般的なタオルハンカチの大きさの半分程度の大きさを有している。矩形状のタオル生地２を、長辺２ａを二つ折りにし、折り返し部３に沿った所定幅Ｗの部位を縫い代４として袋状に縫い合わせ、縫い目５を折り線として折り返し、袋状の縫い代４においてパイルがないものである。【選択図】図１
0003231003.tif 000002
【実用新案登録請求の範囲】
【請求項１】
矩形状のタオル生地を、長辺を二つ折りにし、折り返し部に沿った所定幅の部位を縫い代として袋状に縫い合わせ、縫い目を折り線として折り返し、袋状の縫い代においてパイルがないことを特徴とするタオルハンカチ。
【考案の詳細な説明】
【技術分野】
【０００１】
本考案は、タオルハンカチに関し、収納時の嵩張り感を抑制する技術に係るものである。
【背景技術】
【０００２】
従来、タオルハンカチには、例えば、特許文献１に記載するものがある。これは、タオルハンカチに横折り畳み部および縦折り畳み部を設けたものである。横折り畳み部および縦折り畳み部においては、地組織の織り密度がその余の箇所に比べて低くなっているため、折り曲げが容易となっている。横折り畳み部および縦折り畳み部におけるパイルの長さは、その余の箇所のパイルの長さよりも大きくなっている。パイル長が増した分で、横折り畳み部および縦折り畳み部において織り密度が低いのを補い、肌触りや吸水性が改善される。
【先行技術文献】
【特許文献】
【０００３】
【特許文献１】特開２０１８−６６０７５号
【考案の概要】
【考案が解決しようとする課題】
【０００４】
ところで、タオルハンカチは、基本的に正方形をなし、特許文献１に記載するタオルハンカチも正方形をなし、市場で販売されているタオルハンカチは、２５ｃｍ角サイズが一般的である。
【０００５】
このタオルハンカチはタオル生地からなるので、吸水性に優れるが、４つ折りにして折り畳んだものは元の厚みからは４倍になっており、ポケットやバッグに収める際に嵩張って取り扱いが面倒であった。
【０００６】
本考案は上記課題を解決するものであり、タオル生地の吸水性を確保しつつ、折り畳んだ際の嵩張り感をなくし、収納性に優れたタオルハンカチを提供することを目的とする。
【課題を解決するための手段】
【０００７】
上記課題を解決するために、本考案に係るタオルハンカチは、矩形状のタオル生地を、長辺を二つ折りにし、折り返し部に沿った所定幅の部位を縫い代として袋状に縫い合わせ、縫い目を折り線として折り返し、袋状の縫い代においてパイルがないことを特徴とする。
【図面の簡単な説明】
【０００８】
【図１】本考案の実施の形態におけるタオルハンカチの展開した状態を示す斜視図
【図２】同実施の形態におけるタオルハンカチを折り畳む途中の状態を示す模式図
【考案を実施するための形態】
【０００９】
以下、本考案の実施の形態を図面に基づいて説明する。図１、図２に示すように、本考案に係るタオルハンカチ１は、矩形状のタオル生地２からなり、長辺２ａが短辺２ｂの２倍もしくはそれ以上の長さを有しており、一般的なタオルハンカチの大きさの半分程度の大きさを有している。
【００１０】
このタオル生地２を、長辺２ａを二つ折りにし、折り返し部３に沿った所定幅Ｗの部位を縫い代４として袋状に縫い合わせて縫製したものである。タオル生地２は、縫製後において袋状の縫い代４にパイルが存在しないように、製織されている。
【００１１】
使用時は、縫い目５を折り線として折り返し、正方形もしくは正方形に近い形状に畳んでポケット等に収納し、あるいは手拭き等に使用する。
【００１２】
本考案のタオルハンカチ１は、２つ折りにした状態で、従来のタオルハンカチを４つ折りにした大きさに等しく、かつ折り畳んだ状態の厚みが従来の２分の１程度になり、かさばらないので、タオルハンカチ１として十分な吸水性を確保しつつ、収納性、使用性に優れたものである。
【００１３】
また、タオル生地２は、縫製後において袋状の縫い代４にパイルが存在しないように、製織されているので、タオルハンカチ１を、縫い目５を折り線として折り返し、正方形もしくは正方形に近い形状に２つ折りに畳んだ状態においても、縫い代４が嵩張らず、厚みを抑制することができる。
【００１４】
また、使用時に展開した状態で手拭き等に使用し、その後に２つ折りに畳む際には、縫い目５を折り線として折り返すことで、正方形もしくは正方形に近い形状に速やかに折り畳むことができ、嵩張らない状態のタオルハンカチをポケット等に速やかに収納できる。
【符号の説明】
【００１５】
１    タオルハンカチ
２    タオル生地
２ａ  長辺
２ｂ  短辺
３    折り返し部
４    縫い代
５    縫い目
【図１】
0003231003.tif 000003
【図２】
0003231003.tif 000004
(57)【要約】      （修正有）【課題】嵩張らずに簡単にパンフレットなどをまとめて提示するためのパンフレット枠を提供する。【解決手段】展示会でテーブルや棚に置くパンフレットをきれいに提示するため、簡易に組合せができるように四方のフレームが分解できマグネットで任意の大きさに固定できるように考えられたパンフレット枠であって、短手方向部材１の小口にマグネット３を埋め込み、長手方向部材２の端部側面にマグネットを埋め込んだ。【選択図】図１
0003231001.tif 000002
【実用新案登録請求の範囲】
【請求項１】
展示会でテーブルや棚に置くパンフレットをきれいに提示するため、簡易に組合せができるように四方のフレームが分解できマグネットで任意の大きさに固定できるように考えられたパンフレット枠
【考案の詳細な説明】
【技術分野】
【０００１】  本考案は、パンフレットをきれいに提示するためのマグネットで分解可能な木製の枠である。
【背景技術】
【０００２】  展示会等において複数のパンフレットやカタログをテーブルや棚に置いて配布することがある。パンフレットをそのまま配置するとバラバラになるため、トレーのようなものに置くことが多かった。
【先行技術文献】
【非特許文献】
【０００３】
【非特許文献１】セキセイ  デスクトレー縦型  総合カタログ２０２０  Ｐ１７８
【考案の概要】
【考案が解決しようとする課題】
【０００４】  トレーは箱状で一体化したものであり、複数のトレーを持ち運びするには嵩張りすぎて不便である。
【課題を解決するための手段】
【０００５】  本考案ではトレーの底板は不要と考え枠のみとし、更にその枠がマグネットで接合されており簡単に分解できるものとしている。
【考案の効果】
【０００６】  展示会で利用するパンフレットが５〜１０種類あったとしても、パンフレット枠は全てビジネスバッグに収まる量となった。また、続けて連結することにより、複数のパンフレットをきれいに整理することも可能である。
【図面の簡単な説明】
【０００７】
【図１】  本考案の代表的なパンフレット枠の２面図に加えて、投影図を記載する。
【考案を実施するための形態】
【０００８】  パンフレット枠は長手方向の部材２本と短手方向の部材２本で構成される。
短手方向部材の小口にネオジム磁石を埋め込み、それと直行する長手方向部材の端部側面にネオジム磁石を埋め込む。
４本の部材を接合することによりパンフレット枠を構成する。
またネオジム磁石は磁力が強いため、接合した短手方向部材と反対側にも連続して短手方向部材を連結させていくことができる。これにより、長手方向部材は部材の重複を避けて少ない数量で複数枠を構成することが可能となる。
【実施例】
【０００９】  以下、添付図面に従って一実施例を説明する。１は短手方向部材となり断面が１５ｍｍ×３５ｍｍの国産広葉樹を使用している。パンフレットが取りやすいように中央部に切り欠きを入れている。ネオジム磁石を小口に２本埋め込んでいる。２は長手方向部材で、やはり断面が１５ｍｍ×３５ｍｍの国産広葉樹を使用している。長手方向が勝つような配置で接合できるように端部側面にネオジム磁石を埋め込む。【００１０】  本考案では単体のパンフレット枠としての使用以外に、短手方向部材×２と長手方向部材×１を追加連結していくことにより、複数のパンフレットを効率よくきれいに提示することも考えている。
【符号の説明】
【００１１】１  短手方向部材
２  長手方向部材
３  ネオジム磁石
４  切り欠き（パンフレットを取り易くする）
【図１】
0003231001.tif 000003
【手続補正書】
【提出日】令和2年12月1日(2020.12.1)
【手続補正１】
【補正対象書類名】実用新案登録請求の範囲
【補正対象項目名】全文
【補正方法】変更
【補正の内容】
【実用新案登録請求の範囲】
【請求項１】
展示会でテーブルや棚に置くパンフレットをきれいに提示するため、簡易に組合せができるように四方のフレームが分解できマグネットで任意の大きさに固定できるように考えられたパンフレット枠であって、短手方向部材の小口にマグネットを埋め込み、長手方向部材の端部側面にマグネットを埋め込んだことを特徴とするパンフレット枠。
(57)【要約】【課題】  大人の体重であっても充分に水に浮く構造を有する、大人用の救命具として利用可能なレジャー用のいすを提供する。【解決手段】  本考案の救命具兼用のいすは発泡樹脂製であって、本体外周にロープを巻付可能な窪みが設けてある。このため、被救命者に向かって救命具を投げ渡し引き寄せることができる。  また、本体内に空隙を設けることで、液体の搬送が可能なレジャー用のいすとして利用できる。【選択図】    図６
0003231051.tif 000002
【実用新案登録請求の範囲】
【請求項１】
本体に紐を巻き付け可能な窪みを設け、水に浮く構造を有する救命具として利用可能ないす
【考案の詳細な説明】
【技術分野】
【０００１】
水に浮くことで救命具として利用可能なレジャー用のいすに関するものである。
【背景技術】
【０００２】
従来、救命具兼用のいすとしては、特許文献１等により公知であって、子供用の浮具としても利用できるものが提案されている。
【特許文献１】公開実用昭和４９−１２７９９８号
【考案の開示】
【考案が解決しようとする課題】
【０００３】
特許文献１に記載の救命具兼用のいすは、いすの内部に人を乗せる観点から、主に子供特に小児を対象としたものであり、大人が海で使用することを想定したものではないため、大人用の救命具としては利用できない。
【０００４】
この考案は、上記のような従来技術に存在する問題点に着目してなされたものである。その目的とするところは、大人の体重であっても充分に水に浮く構造を有し、大人用の救命具として利用可能なレジャー用のいすを提供することにある。
【課題を解決するための手段】
【０００５】
上記の目的を達成するために、本考案の救命具兼用のいすの本体は発泡樹脂製であって、本体外周にロープを巻付可能な窪みが設けてある。
【０００６】
また、本体上部に蓋体を備え、液体の搬送を目的として本体内に空隙を設けることができる。
【考案の効果】
【０００７】
本考案の救命具兼用いすは、発泡樹脂製であって、大人の体重であっても充分に水に浮く構造を有する。このため、大人用の救命具として利用可能である。
【０００８】
また、本体外周にロープ等を巻付可能な窪みを設けた。このため、被救命者に向かって救命具を投げ渡し引き寄せることができる。
【考案を実施するための最良の形態】
【０００９】
以下にこの考案を具体化した一実施形態に基づいて詳細に説明する。
【実施例１】
【００１０】
図１に示される本考案の救命具兼用いすは、本体が円柱状の発泡スチロール製で、本体上部に勘合可能な蓋体を備えている。
蓋体は本体と同じく発泡スチロール製で、本体内の空隙にはめ込むことで、いすとして使用する際の座面の機能を果たす。本体上部は、図５の断面図で示されるとおり蓋体と隙間なく勘合する形状にあらかじめ凹ませてある。
【００１１】
本体の最下部と蓋体には、外周に沿って一条の窪みが設けてあり、窪み部分にロープを巻き付けることができる様になっている。本体と蓋体に巻き付けた各ロープを相互に結びつけることで、蓋体が不用意に開かないように固定することができる。
一方、本体側面に渡って幅広の窪み面が設けてあり、別のロープを長めに巻き付けておくことができる。図７では一六条分のロープが巻き付けてある。
救命具使用時において、本体、蓋体およびそれぞれのロープを緊結しておくことで、非救命者を引き寄せたりすることができる。
【００１２】
上記実施例は本考案の一形態であって、下記のように変更して実施することもできる。
・図６に示されるように、液体の搬送を目的として本体内に空隙を設けること。
・発泡スチロール製の本体に替えて、ブロー成形したポリオレフィン樹脂製とすること。
【産業上の利用可能性】
【００１３】
大人の体重であっても充分に水に浮く構造を有する、大人用の救命具として利用可能なレジャー用のいすを提供する。
【図面の簡単な説明】
【００１４】
【図１】実施例１の正面図
【図２】実施例１の天面図
【図３】実施例１の底面図
【図４】実施例１の斜視図
【図５】図面４におけるＡＡ断面による断面図
【図６】図面５における本体断面形状の変更例
【図７】実施例１の参考図
【符号の説明】
【００１５】
１      本体
２      蓋体
【図１】
0003231051.tif 000003
【図２】
0003231051.tif 000004
【図３】
0003231051.tif 000005
【図４】
0003231051.tif 000006
【図５】
0003231051.tif 000007
【図６】
0003231051.tif 000008
【図７】
0003231051.tif 000009
(57)【要約】【課題】作業現場の傾斜角度に応じて塗料の零れを防止することができる塗料収容具を提供する。【解決手段】塗料収容具は、被収容物である塗料を収容する容器本体２と、容器本体２が載置される面（屋根７の上面７ａ）に対して容器本体２を傾ける傾ける傾け手段と、を備える。傾け手段は、容器本体２の底面よりも下方に突出可能な突出部材６と、突出部材６を容器本体２に対して昇降させる昇降部材（プレート部材４，５）と、を含む。【選択図】図３
0003231675.tif 000002
【実用新案登録請求の範囲】
【請求項１】
被収容物を収容する容器本体と、
前記容器本体が載置される面に対して前記容器本体を傾ける傾け手段と、を備え、
前記傾け手段は、前記容器本体の底面よりも下方に突出可能な突出部材と、前記突出部材を前記容器本体に対して昇降させる昇降部材と、を含む塗料収容具。
【請求項２】
前記突出部材と前記昇降部材の係合箇所を上方から覆うカバー部材をさらに備えた、請求項１に記載の塗料収容具。
【考案の詳細な説明】
【技術分野】
【０００１】
本考案は、塗料を収容する塗料収容具に関する。
【背景技術】
【０００２】
建造物の壁や屋根を対象とした塗装作業においては、作業現場に持ち込んだ容器内の塗料を作業員が把持した刷毛やローラーに転写し、塗布対象に塗布する。屋根などの傾斜した位置で塗布作業を行う場合、屋根に容器を載置すると容器自体が滑り、また、塗料が容器から零れるといった事態が起こるため、作業者は一方の手で容器を保持し、他方の手で刷毛を保持する必要があった。このような姿態での塗布作業は、作業者の両手が塞がるため危険が伴う。
【０００３】
このような問題を解決するため、下端に磁石による接地体を設けた柱状の屈折する支持脚の該屈折箇所に塗料容器の底縁が嵌る溝を形成し、この溝から上方に塗料容器の側面に沿う支持体を支持脚下部と連続させて形成した塗料容器の屋根用保持具が提案されている（例えば特許文献１を参照）。これにより、塗料容器内の塗料の零れを防止しつつ、屋根用保持具を介して塗料容器を屋根に置くこができる。
【先行技術文献】
【特許文献】
【０００４】
【特許文献１】実用新案登録第３２２６０１４号
【考案の概要】
【考案が解決しようとする課題】
【０００５】
しかしながら上記従来技術では、塗料容器の角度をフレキシブルに調整することができないため、作業現場の傾斜角度によっては塗料容器内の塗料の零れを防止することができないという課題があった。
【０００６】
そこで本考案は、作業現場の傾斜角度に応じて塗料の零れを防止することができる塗料収容具を提供することを目的とする。
【課題を解決するための手段】
【０００７】
本考案の塗料収容具は、被収容物を収容する容器本体と、前記容器本体が載置される面に対して前記容器本体を傾ける傾け手段と、を備え、前記傾け手段は、前記容器本体の底面よりも下方に突出可能な突出部材と、前記突出部材を前記容器本体に対して昇降させる昇降部材と、を含む。
【考案の効果】
【０００８】
本考案によれば、作業現場の傾斜角度に応じて塗料の零れを防止することができる。
【図面の簡単な説明】
【０００９】
【図１】本考案の一実施の形態における塗料収容具の斜視図
【図２】本考案の一実施の形態における塗料収容具の正面図
【図３】本考案の一実施の形態における塗料収容具の使用時の説明図
【考案を実施するための形態】
【００１０】
本考案の一実施の形態について、図１及び図２を参照して説明する。本実施の形態における塗料収容具１は主として、容器本体２と、後述する容器本体２を傾けるための傾け手段を含んで構成される。
【００１１】
容器本体２は上面に開口２ａを有する凹状を成している。容器本体２には開口２ａを通じて図示しない塗料が収容される。塗料は通常、金属製の収容缶に貯留した状態で販売されるが、収容缶自体を容器本体２に収容させてもよい。すなわち、容器本体２は、上面に開口２ａを有し、被収容物である塗料を収容する。また、容器本体２には作業者が把持するための取手３が設けられている。
【００１２】
容器本体２の一側面２ｂには、複数のプレート部材４，５が上下方向に所定間隔をあけて固定されている。プレート部材４，５の夫々には、上下方向に貫通した開口部４ａ，５ａが設けられている。開口部４ａ，５ａは上下方向に連通した状態で配置されている。プレート部材４，５の開口部４ａ，５ａを形成する内周面には図示しない雌ねじ部が設けられている。
【００１３】
プレート部材４，５には、図示しない雄ねじ部が外周面に設けられた長尺の突出部材６が開口部４ａ，５ａを介して螺合される。作業者がプレート部材４，５に螺合した突出部材６を所定方向に回動させることで（矢印ａ）、突出部材６は容器本体２（プレート部材４，５）に対して上下方向に昇降する（矢印ｂ）。
【００１４】
容器本体２の底面２ｃから突出部材６を所定長さだけ突出させた状態では、容器本体２を水平面上に載置したとき、容器本体２は一方側が持ち上げられることで水平方向に対して所定角度だけ傾く。すなわち底面２ｃからの突出部材６の突出長さＬが大きくなるにつれ、容器本体２（開口２ａ）の水平方向に対する傾きは大きくなる。
【００１５】
図３に示すように、作業者は作業現場となる屋根７の傾斜角度を基に、突出部材６を操作して（回動させて）容器本体２の底面２ｃからの突出部材６の突出長さＬを調整する。これにより、容器本体２（開口２ａ）の水平方向Ｘに対する傾きを極力無くして、容器本体２の屋根７からの滑落および容器本体２からの塗料の零れを防止することができる。
【００１６】
上記構成において、突出部材６は容器本体２の底面２ｃよりも下方に突出可能となっている。また、プレート部材４，５は、突出部材６を容器本体２に対して昇降させる昇降部材となっている。さらに、突出部材６及びプレート部材４，５は、容器本体２が載置される面（本実施の形態では屋根７の上面７ａ）に対して容器本体２を傾ける傾け手段となっている。
【００１７】
容器本体２の一側面２ｂには、突出部材６とプレート部材４，５の係合箇所Ｔ（図３）を上方から覆うサイズのカバー部材８が一側面２ｂから突出して設けられている。カバー部材８の上面８ａは開口２ａと略同一高さ位置に設定される。カバー部材８は、刷毛９などの転写部材から下垂する塗料の液滴Ｐをその上面８ａで受けとめて、突出部材６とプレート部材４との係合箇所Ｔに液滴Ｐが付着するのを防止する。
【００１８】
以上説明したとおり、本実施の形態における塗料収容具１によれば、屋根７などの傾斜した作業現場の傾斜角度に応じて、容器本体２の底面２ｃからの突出部材６の突出長さＬを調整することで、容器本体２（開口２ａ）の水平方向Ｘに対する傾きを極力無くすことができる。その結果、傾斜した作業現場であっても、容器本体２に収容された塗料の零れを防止することができる。
【産業上の利用可能性】
【００１９】
本考案の塗料収容具によれば、作業現場の傾斜角度に応じて塗料の零れを防止することができる。
【符号の説明】
【００２０】
１  容器収容具
２  容器本体
２ｃ  底面
４，５  プレート部材
６  突出部材
８  カバー部材
Ｔ  係合箇所
【図１】
0003231675.tif 000003
【図２】
0003231675.tif 000004
【図３】
0003231675.tif 000005
(57)【要約】      （修正有）【課題】靴べら部分とドア開閉具を別で持ち歩く必要がなく、非接触でドアや鍵を開閉する事を可能にする靴べら一体型ドア開閉具を提供する。【解決手段】靴べら一体型ドア開閉具は、両端が半円形であるプレート状の靴べら１と金属を折り曲げたフック状の切込みを入れたドア開閉具２を靴べらの一端でハトメ３により接合し、靴べらをドア開閉具の中に収納することによって同時に持ち歩くことを可能にし、靴べら部分を持ち手としフック状のドア開閉具を取手に引っかけることができ、フック状の解放された先端部分で鍵の開閉をすることにより非接触でドアや鍵を開閉できる。【選択図】図２
0003231699.tif 000002
【実用新案登録請求の範囲】
【請求項１】
両端が半円形である板状の金属でできた靴べらと、金属を折り曲げて前記靴べらを収納できる隙間が設けられフック形状に切込みが入れられているフック形状部を有するドア開閉具とが、前記ドア開閉具の一端側に回転できるように接合されており前記フック形状部にドアの取手を引っかけてドアの開閉ができる靴べら一体型ドア開閉具。
【請求項２】
前記ドア開閉具の他端側の先端が解放されており、解放部の隙間にサムターンを差し込んで鍵の開け閉めができる請求項1に記載の靴べら一体型ドア開閉具。
【考案の詳細な説明】
【技術分野】
【０００１】
本考案は本体部分に靴べらを収納することができる靴べら一体型ドア開閉具に関するものである。
【背景技術】
【０００２】
今までは靴べら単体、ドア開閉具単体しか存在しなかった。
ドア開閉具はドアノブ回し具のようにドアノブに特化している開閉具が提案されている。（特許文献１）
また、存在するドア開閉具は引っかけるだけの物で、コンパクトかつ確実に非接触で開閉できる物がなかった。（特許文献２）
【先行技術文献】
【特許文献】
【０００３】
【特許文献１】実登３２２７３３０
【特許文献２】実登３２２７１１２
【考案の概要】
【考案が解決しようとする課題】
【０００４】
靴べらとドア開閉具の双方を持ち歩くと、かさばり片方は鞄に入れる等必要な時に取り出すのに時間がかかってしまう。靴べらは靴の脱着時に使用するものであり、玄関や建物の入り口で使用することが多くドア開閉具と一体化することにより、同時に持ち歩くことができなかった。
【０００５】
また、昨今世界中で広がっている新型コロナウィルス肺炎の感染を防ぐためには、ウィルスが付着した物を直接触れること、例えば不特定多数の人が触れるドアノブや、トイレのカギ、電車のつり革、エレベーターのボタン等を素手で触らない事が求められている。しかし、現在あるようなドア開閉具はドアに引っかけるだけのタイプの物であり強度が足りず取手からすべることがあり確実に非接触でドアを開閉できない。
【課題を解決するための手段】
【０００６】
本考案の靴べら一体型ドア開閉具は、両端が半円形である板状の金属でできた靴べらと、金属を折り曲げて前記靴べらを収納できる隙間が設けられフック形状に切込みが入れられているフック形状部を有するドア開閉具とが、前記ドア開閉具の一端側に回転できるように接合されており前記フック形状部にドアの取手を引っかけてドアの開閉ができる。一体化することによりコンパクトかつ持ち歩く時にかさばらず、常時携帯することを可能にした。
【０００７】
両端靴べら部分と収納カバー兼ドア開閉具部分を穴あきハトメで接合し、収納カバー部は湾曲のフック状の切込みを入れることにより確実に非接触でドアや鍵を開閉する事を可能にした。
【０００８】
なお、金属製の収納カバー部は金属の板を折り曲げることにより、靴べら部分を中に収納できる。
【考案の効果】
【０００９】
本考案の靴べら一体型ドア開閉具は、今まで単体で持ち歩いていたものをかさばることなく常時携帯できる。また、ドアの取手や鍵などを非接触で確実に開閉することができる。
【図面の簡単な説明】
【００１０】
【図１】本考案の靴べら一体型ドア開閉具の靴べら収納時の図である。
【図２】本考案の靴べら一体型ドア開閉具の正面図である。
【図３】本考案の靴べら一体型ドア開閉具の側面図である。
【考案を実施するための形態】
【００１１】
本考案は靴べら部１とドア開閉具２をハトメ部３で接合した靴べら一体型ドア開閉具である。以下において本考案を実施するのための形態を説明する。
【００１２】
図1で示すように、靴べら部１は両端を半円形にした板状の金属で、そのドア開閉具２の一端をハトメ部３で靴べら部１と接合したものである。靴べらとして使用する際はドア開閉具２を持ち手とし、靴べら先端部１aを使用し靴の脱着を行う。また、引き戸やスライド式の鍵を開閉する際も同様にドア開閉具２を持ち手とし、引き戸の隙間に靴べら先端部１aを差し込んで開閉、スライド式の鍵を靴べら部１で押して開閉する。
【００１３】
図３で示すように、ドア開閉具２は両端を半円形とした金属の板をドア開閉具側面折り曲げ部５で折り畳み、折り曲げ部５の反対側にドアの取手部に引っかけることができるようフック形状に切込みを入れたものである。ドア開閉具２は折り曲げられた背面部１２と正面部１１の間に隙間があり、その隙間をドア開閉具解放部１０とする。ドア開閉具として使用する際は靴べら部１を持ち手とし、フック形状部４をドアの取手や引き戸のハンドル部に引っかけて開閉する。また、ドア開閉具先端部２ｂ（ドア開閉具２の他端）にあるドア開閉具解放部１０にサムターン式の鍵を差し込み、回転させて開閉する。
【００１４】
靴べら部１とドア開閉具２はハトメによって回転可能に取り付けられており、靴べら部１はハトメ接合部３を起点に回転させドア開閉具解放部１０に収納できるものとする。
【００１５】
また、サムターン式の鍵で厚みがありドア開閉具解放部１０に差し込めない場合は靴べら部先端１aとドア開閉具先端部２ｂのハトメ部３付近を持ち、鍵を挟み込んで開閉をするものとする。
【符号の説明】
【００１６】
１  靴べら
１a 靴べら先端部
２  ドア開閉具
２ｂドア開閉具先端部
３  ハトメ部
４  フック形状部
５  ドア開閉具側面折り曲げ部
１０  ドア開閉具解放部
１１  フック部先端正面部
１２  フック部先端背面部
【図１】
0003231699.tif 000003
【図２】
0003231699.tif 000004
【図３】
0003231699.tif 000005
(57)【要約】      （修正有）【課題】安全な移動と介助者の負担・経済的負担を減らすことへ役立つ車いす移動補佐用器具を提供する。【解決手段】バケットシート本体に空気圧によって数段階に膨らむ底部と収納可能なレール、及び、バケットシート下部にバケットシートとレールを繋ぐローラー部を内蔵した円形型の台車を設け、レール部をバケットシートがスライドする事により車へ移動し、レール部最終部分を切り離すことによりバケットシートごと車に装着可能とする。【選択図】図２
0003231691.tif 000002
【実用新案登録請求の範囲】
【請求項１】
空気圧によって数段階に膨らむ座布団面と内部に収納されたレール面からなり
レール部をバケットシートがスライドする事により問題を解決する為の車いす移動補佐用器具
【考案の詳細な説明】
【技術分野】
【０００１】
本考案は車椅子から車などへ介護者を移動させる負担と人数を軽減するものである。
【背景技術】
【０００２】
従来の車椅子は、健康な障害者は車椅子も進歩して1人で対応出来ることが多くなりしたが、介護者を必要とする車椅子は相変わらずの状態です。
【考案の概要】
【考案が解決しようとする課題】
【０００３】
施設が充実して、1人の介護者を2・3人の看護者がサポート出来れば何も問題はないのですが、これから未来に向かってロボットが介護してくれるまでは、一番弱いところに皺寄せが来るのは分かり切っています。病院介護施設でない場合は老老介護などと言う言葉があるように、車いすを押す事はできても乗せること下す事に最大の欠点があります。力の弱いものが力を使わなくてはならないと言う点です。病院の先生曰く2人で行って作業中1人になるなら画期的だと！
【課題を解決するための手段】
【０００４】
本考案は、空気圧によって数段階に膨らむ座布団面と内部に収納されたレール面からなり
レール部を座面がスライドする事により問題を解決している。
【考案の効果】
【０００５】
上記の様に、本考案の車椅子からの移動補佐用器具は従来の車いすに座布団型の補佐用器具を取り付けることで介護者の移動を実現しており、安全な移動と介助者の負担・経済的負担を減らすことへ役立つ
【図面の簡単な説明】
【０００６】
【図１】空気を入れることにより高さが調整できか4点式シートベルトを装備されたバケットシート正面
【図２】B.Cは移動する車のシートの高さによって調整できるものでそれは空気の吸入により可能
【考案を実施するための形態】
【０００７】
器具は座布団に椅子が付いていて、この椅子の移動が介護者を指一本で移動させます。
座布団は空気圧によって数段階に膨らみます。(数段階に分けたのは移動させる対象物が車種やベッド椅子などで高さが違うため。)
座布団が膨らむと座布団内部に収納されているスライド版(レール)が引き出され一枚一枚は最後の一枚を除くと取り外せません。なお、接続部両側に90度まで角度がつけられ固定できるように切り込みか可変式のアタッチメントがあります。
スライド版内を精密円形のローラー付きの固定盤が入っておりその円形の大きさを終えない限り180度以上に開かない限りは落ちる事はありません。ローラには振動や不安定がないくらいの精密さか補助器具を用います。ラバー等伸びたスライド版は最後の一枚だけ外れてそのまま車に取り付きます。この椅子レース用に近い体に負担のかからない素材のバケットシートと考えてください。勿論シートベルトは車とのダブル活用でより安全にしっかりと単独で車に座れるようにします。
【実施例】
【０００８】
以下、添付図面に従って一実施例を説明する。
Aは、添付図１の座布団面及びバケットシート一体のモノを上部から見たものである。
図面B・Cの様に、介護者を移動する際に、対象物に合わせて座布団面の空気圧を変え座面の高さを調節します。
【０００９】
図面２、2の様に座布団面からスライダーを引き出し移動先へとつなぎます
3の様にスライダーには安全面を考慮した複数の脚が付いており、自動的にスライダーを補助します
【００１０】
スライダー面を介護者をバケットシートごと移動させる。
移動後は、座布団面をスライダーごと逆の手順によりバケットシート下部へ収納する
【符号の説明】
【００１１】
A座布団面及びバケットシート一体の本考案物の平面図
B本考案物の側面図
１座布団面の断面図
２スライダー部分を引き出した図
３スライダーの安全装置
【図１】
0003231691.tif 000003
【図２】
0003231691.tif 000004
【手続補正書】
【提出日】令和2年10月27日(2020.10.27)
【手続補正１】
【補正対象書類名】実用新案登録請求の範囲
【補正対象項目名】全文
【補正方法】変更
【補正の内容】
【実用新案登録請求の範囲】
【請求項１】
バケットシート本体に空気圧によって数段階に膨らむ底部と収納可能なレール、及びバケットシート下部にバケットシートとレールを繋ぐローラー部を内蔵した円形型の台車を設け、レール部をバケットシートがスライドする事により車へ移動。及び、レール部最終部分を切り離すことによりバケットシートごと車に装着可能とする部分を特徴とする車いす移動補佐用器具。
【手続補正書】
【提出日】令和3年2月22日(2021.2.22)
【手続補正１】
【補正対象書類名】図面
【補正対象項目名】図２
【補正方法】変更
【補正の内容】
【図２】
0003231691.tif 000005